(57)【要約】【課題】第１には、ホールダウン金物全体の強度を向上させることができると共に、背板部の下端部を変形し難くすることができ、第２には、さらに背板部の最上位のボルト孔の部分から柱が割れ難くすること。【解決手段】一枚の金属板をコ字状に折り曲げて背板部１１ａとその左右両側のリブ板部１１ｂ，１１ｃとをそれらの下端部がほぼ同一平面上に位置するように揃えると共に、背板部１１ａには柱３に対し複数のボルトを介し接合するための複数の柱接合用ボルト孔１１ａ１〜１１ａ１０が設けられた金物本体部１１と、その金物本体部の下端部から所定の高さとなる位置に背板部１１ａとその左右両側のリブ板部１１ｂ，１１ｃとに溶接して設けられ、横架材２と連結するためのアンカーボルトが挿入されるアンカーボルト孔を有する座金部１２とを有する。【選択図】図１
2015045137.tif 000002
【特許請求の範囲】
【請求項１】
土台や梁等の横架材に対し柱を接合する際にその接合箇所を補強する木造建築物用のホールダウン金物であって、
一枚の金属板をコ字状に折り曲げて背板部とその左右両側のリブ板部とをそれらの下端部がほぼ同一平面上に位置するように揃えると共に、背板部には前記柱に対し複数のボルトを介し接合するための複数の柱接合用ボルト孔が設けられた金物本体部と、
その金物本体部の下端部から所定の高さとなる位置に背板部とその左右両側のリブ板部とに溶接して設けられ、前記横架材と連結するためのアンカーボルトが挿入されるアンカーボルト孔を有する座金部と、
を有することを特徴とする木造建築物用のホールダウン金物。
【請求項２】
請求項１記載の木造建築物用のホールダウン金物において、
前記座金部は、複数枚の座金板を重ね合わせ、それらの先端部を溶接することによって接合して構成され、
前記座金部と前記背板部およびその左右両側のリブ板部との間は、最上位の座金板では前記背板部とその左右両側のリブ板部と接する境界部分をその上方から溶接する一方、最下位の座金板では前記背板部とその左右両側のリブ板部と接する境界部分をその下方から溶接して取り付けたことを特徴とする木造建築物用のホールダウン金物。
【請求項３】
請求項２記載の木造建築物用のホールダウン金物において、
前記座金部は、３枚以上の座金板を重ね合わせることにより構成され、
最上位の座金板および最下位の座金板はその間に挟まれる中間の座金板よりも奥行きを長くすると共に、その複数枚の座金板の後端部は前記背板部に当接するように揃え、かつ、その複数枚の座金板の先端部は最上位の座金板および最下位の座金板の先端部がその間に挟まれる中間の座金板よりも突出するように配置し、中間の座金板の先端部と最上位の座金板の先端部側の下側面および最下位の座金板の先端部側の下側面とで囲まれた凹部を溶接して構成され、
前記座金部と前記背板部およびその左右両側のリブ板部との間は、最上位の座金板では前記背板部とその左右両側のリブ板部と接する境界部分をその上方から溶接する一方、最下位の座金板では前記背板部とその左右両側のリブ板部と接する境界部分をその下方から溶接して取り付けたことを特徴とする木造建築物用のホールダウン金物。
【請求項４】
請求項３記載の木造建築物用のホールダウン金物において、
前記座金部は、３枚の座金板を重ね合わせることにより構成され、
最上位の座金板および最下位の座金板はその間に挟まれる中間の座金板よりも奥行きを長くすると共に、その複数枚の座金板の後端部は前記背板部に当接するように揃え、かつ、その複数枚の座金板の先端部は最上位の座金板および最下位の座金板の先端部がその間に挟まれる中間の座金板よりも突出するように配置し、中間の座金板の先端部と最上位の座金板の先端部側の下側面および最下位の座金板の先端部側の下側面とで囲まれた凹部全てが埋まるように溶接して構成されたことを特徴とする木造建築物用のホールダウン金物。
【請求項５】
請求項１〜請求項４のいずれか一の請求項に記載の木造建築物用のホールダウン金物において、
前記座金部のアンカーボルト孔は、横架材の長手方向に対し平行に延びた長孔であり、前記座金部の先端部はその左右両側のリブ板部の先端部よりも突出していることを特徴とする木造建築物用のホールダウン金物。
【請求項６】
請求項１〜請求項５のいずれか一の請求項に記載の木造建築物用のホールダウン金物において、
前記金物本体部の背板部に設ける複数の柱接合用ボルト孔は、
少なくとも最上位の柱接合用ボルト孔が水平方向に並ばないように設けたことを特徴とする木造建築物用のホールダウン金物。
【請求項７】
請求項１〜請求項６のいずれか一の請求項に記載の木造建築物用のホールダウン金物において、
前記金物本体部の背板部の上端部は、その左右両側のリブ板部の上端部それぞれよりも長くて突出しており、かつ、その左右両側のリブ板部は、下端部よりも上端部の方が前記横架材の長手方向の長さとなる奥行きが小さくなるように傾斜端部を有することを特徴とする木造建築物用のホールダウン金物。
【請求項８】
請求項７に記載の木造建築物用のホールダウン金物において、
前記金物本体部の背板部の上端部は、その左右両側のリブ板部の上端部それぞれよりも長くて突出しており、かつ、前記金物本体部の背板部においてその左右両側のリブ板部の上端部よりも突出している部分に少なくとも２以上の柱接合用ボルト孔を設けたことを特徴とする木造建築物用のホールダウン金物。
【請求項９】
土台や梁等の横架材に対し柱を接合する際に請求項１〜請求項８のいずれか一の請求項に記載の木造建築物用のホールダウン金物を使用してその接合箇所を補強したことを特徴とする木造建築物。
【発明の詳細な説明】
【技術分野】
【０００１】
本発明は、土台や梁等の横架材に対し柱を接合する際にその接合箇所を補強する木造建築物用のホールダウン金物、およびそのホールダウン金物を使用した木造建築物に関する。
【背景技術】
【０００２】
土台や梁等の横架材に対し柱を接合する際にその接合箇所を補強する木造建築物用のホールダウン金物として、例えば、柱に当接し止着する背板部の表面にアンカーボルトを挿通する緊締受筒を設けたものを提案している（例えば、特許文献１参照。）。
【先行技術文献】
【特許文献】
【０００３】
【特許文献１】特開２０１２−７３２８号公報
【発明の概要】
【発明が解決しようとする課題】
【０００４】
しかし、上述の特許文献１の木造建築物用のホールダウン金物では、背板部の表面にアンカーボルトを挿通する緊締受筒を溶接して設けているため、背板部と緊締受筒との接合が不十分であり、その接合部分の強度が弱いという問題がある。
また、上述の特許文献１の木造建築物用のホールダウン金物では、両側の側板であるリブ板部の下端部よりも、背板部の下端部の方が長く構成されているので、土台や梁等の横架材に対し柱の接合箇所分で背板部の下端部で変形し易くなり、横架材と柱等の接合箇所分が破損し易いという問題もある。
さらに、柱にボルト結合するため背板に設けられたボルト孔は、２列設けているが、最上位のボルト孔が水平方向に並んでいるため、この木造建築物用のホールダウン金物を利用して横架材と柱とを補強して柱に応力がかかった場合、その最上位の水平に並んだボルト孔のところに応力が集中して、その部分から柱が割れ易いという問題が発生するおそれがある。
【０００５】
そこで、本発明は、このような問題に鑑みてなされたもので、第１には、ホールダウン金物全体の強度を向上させることができると共に、背板部の下端部を変形し難くすることができ、第２には、さらに背板部の最上位のボルト孔の部分から柱が割れ難くすることができる木造建築物用のホールダウン金物、およびそのホールダウン金物を使用した木造建築物を提供することを目的とする。
【課題を解決するための手段】
【０００６】
前記課題を解決するため、本発明に係る木造建築物用のホールダウン金物は、土台や梁等の横架材に対し柱を接合する際にその接合箇所を補強する木造建築物用のホールダウン金物であって、一枚の金属板をコ字状に折り曲げて背板部とその左右両側のリブ板部とをそれらの下端部がほぼ同一平面上に位置するように揃えると共に、背板部には前記柱に対し複数のボルトを介し接合するための複数の柱接合用ボルト孔が設けられた金物本体部と、その金物本体部の下端部から所定の高さとなる位置に背板部とその左右両側のリブ板部とに溶接して設けられ、前記横架材と連結するためのアンカーボルトが挿入されるアンカーボルト孔を有する座金部と、有することを特徴とする。
ここで、前記座金部は、複数枚の座金板を重ね合わせ、それらの先端部を溶接することによって接合して構成され、前記座金部と前記背板部およびその左右両側のリブ板部との間は、最上位の座金板では前記背板部とその左右両側のリブ板部と接する境界部分をその上方から溶接する一方、最下位の座金板では前記背板部とその左右両側のリブ板部と接する境界部分をその下方から溶接して取り付けるようにすると良い。
また、前記座金部は、３枚以上の座金板を重ね合わせることにより構成され、最上位の座金板および最下位の座金板はその間に挟まれる中間の座金板よりも奥行きを長くすると共に、その複数枚の座金板の後端部は前記背板部に当接するように揃え、かつ、その複数枚の座金板の先端部は最上位の座金板および最下位の座金板の先端部がその間に挟まれる中間の座金板よりも突出するように配置し、中間の座金板の先端部と最上位の座金板の先端部側の下側面および最下位の座金板の先端部側の下側面とで囲まれた凹部を溶接して構成され、前記座金部と前記背板部およびその左右両側のリブ板部との間は、最上位の座金板では前記背板部とその左右両側のリブ板部と接する境界部分をその上方から溶接する一方、最下位の座金板では前記背板部とその左右両側のリブ板部と接する境界部分をその下方から溶接して取り付けるとさらに良い。
また、前記座金部は、３枚の座金板を重ね合わせることにより構成され、最上位の座金板および最下位の座金板はその間に挟まれる中間の座金板よりも奥行きを長くすると共に、その複数枚の座金板の後端部は前記背板部に当接するように揃え、かつ、その複数枚の座金板の先端部は最上位の座金板および最下位の座金板の先端部がその間に挟まれる中間の座金板よりも突出するように配置し、中間の座金板の先端部と最上位の座金板の先端部側の下側面および最下位の座金板の先端部側の下側面とで囲まれた凹部全てが埋まるように溶接して構成するとさらに良い。
また、前記座金部のアンカーボルト孔は、横架材の長手方向に対し平行に延びた長孔であり、前記座金部の先端部はその左右両側のリブ板部の先端部よりも突出しているようにするとさらに良い。
また、前記金物本体部の背板部に設ける複数の柱接合用ボルト孔は、少なくとも最上位の柱接合用ボルト孔が水平方向に並ばないように設けると良い。
また、前記金物本体部の背板部の上端部は、その左右両側のリブ板部の上端部それぞれよりも長くて突出しており、かつ、その左右両側のリブ板部は、下端部よりも上端部の方が前記横架材の長手方向の長さとなる奥行きが小さくなるように傾斜端部を有するようにすると良い。
また、前記金物本体部の背板部の上端部は、その左右両側のリブ板部の上端部それぞれよりも長くて突出しており、かつ、前記金物本体部の背板部においてその左右両側のリブ板部の上端部よりも突出している部分に少なくとも２以上の柱接合用ボルト孔を設けるとさらに良い。
また、本発明に係る木造建築物は、土台や梁等の横架材に対し柱を接合する際に上述の木造建築物用のホールダウン金物を使用してその接合箇所を補強したことを特徴とする。
【発明の効果】
【０００７】
本発明に係る木造建築物用のホールダウン金物、およびそのホールダウン金物を使用した木造建築物では、背板部には柱に対し複数のボルトを介し接合するための複数の柱接合用ボルト孔が設けられた金物本体部と、その金物本体部の下端部から所定の高さとなる位置に背板部とその左右両側のリブ板部とに溶接して設けられ、横架材と連結するためのアンカーボルトが挿入されるアンカーボルト孔を有する座金部とを有するため、金物本体部と座金部との接合強度が増大し、ホールダウン金物全体の強度を向上させることができると共に、一枚の金属板をコ字状に折り曲げて背板部とその左右両側のリブ板部とをそれらの下端部がほぼ同一平面上に位置するように揃えたため、柱が横架材から抜けようとしてもこの金物の下端部に応力が作用しても、背板部の下端部を変形し難くすることができる。
また、金物本体部の背板部に設ける複数の柱接合用ボルト孔は、柱の長手方向に沿って複数列で、かつ、少なくとも最上位の柱接合用ボルト孔が水平方向に並ばないように設けたため、背板部の最上位のボルト孔の部分から柱が割れ難くすることができる。
【図面の簡単な説明】
【０００８】
【図１】（ａ）〜（ｃ）それぞれ、本実施形態の木造建築物用のホールダウン金物の平面図、正面図、左側面図である。
【図２】（ａ）〜（ｄ）それぞれ、本実施形態の木造建築物用のホールダウン金物の座金部を構成する座金板の平面図、正面図、座金板を３枚重ね合わせた座金部の右側面図、３枚重ね合わせた座金板を溶接した座金部の右側面図である。
【図３】（ａ）〜（ｃ）それぞれ、本実施形態の木造建築物用のホールダウン金物における金物本体部と座金部との間の溶接部分を示す平面図、正面図、右側面図である。
【図４】本実施形態の木造建築物用のホールダウン金物の使用状態を示す側面図である。
【図５】（ａ）〜（ｃ）それぞれ、左右両側のリブ板部を背板部の下端部まで延ばしていない比較例１のホールダウン金物を使用して横架材と柱を補強した状態を示す側面図と、その柱に引き抜き方向に外力が作用した場合における動きや変形を示す側面図である。
【図６】（ａ）〜（ｃ）それぞれ、本実施形態の木造建築物用のホールダウン金物を使用して横架材と柱を補強した状態を示す側面図と、その柱に引き抜き方向に外力が作用した場合における動きや変形を示す側面図である。
【図７】（ａ），（ｂ）それぞれ、背面板におけるボルト孔が並列に並んだ比較例２のホールダウン金物を使用して横架材と柱を補強した状態を示す正面図と、その柱に横方向の外力が作用して柱割れを起こした状態を示す側面図である。
【図８】（ａ），（ｂ）それぞれ、本実施形態の木造建築物用のホールダウン金物を使用して横架材と柱を補強した状態を示す正面図と、その柱に横方向の外力が作用しても柱割れを起こさない状態を示す側面図である。
【発明を実施するための形態】
【０００９】
以下、本発明に係る木造建築物用のホールダウン金物、およびそのホールダウン金物を使用した木造建築物の実施の形態を、添付図面を参照しながら詳細に説明する。なお、下記に説明する実施形態は、あくまで本発明の一例であり、本発明は下記の実施形態に限定されるものではなく、本発明の技術思想の範囲内で適宜変更可能である。
【００１０】
この木造建築物用のホールダウン金物１は、後述する図４に示すように土台や梁等の横架材２に対し柱３を接合する際にその接合箇所を補強等するためのもので、図１（ａ）〜（ｃ）に示すように、金物本体部１１と、座金部１２とを備えている。
【００１１】
金物本体部１１は、一枚の金属板をコ字状に折り曲げて背板部１１ａと、背板部１１ａに両側にリブ板部１１ｂ，１１ｃとを設けると共に、背板部１１ａとリブ板部１１ｂ，１１ｃの下端部がほぼ同一平面上に位置するように揃えている。
【００１２】
背板部１１ａには、柱３に対し複数のボルトを介し接合するための複数（ここでは、例えば、１０個とする。）の柱接合用ボルト孔１１ａ１〜１１ａ１０が設けられている。
【００１３】
また、背板部１１ａの上端部は、図１(ｂ)，(ｃ)に示すようにその左右両側のリブ板部１１ｂ，１１ｃの上端部それぞれよりも長くて突出させており、かつ、その左右両側のリブ板部１１ｂ，１１ｃは、下端部よりも上端部の方が横架材２の長手方向の長さとなる奥行きが小さくなるように傾斜端部１１ｂ１，１１ｃ１を設けている。
【００１４】
そして、金物本体部１１の背板部１１ａにおいてその左右両側のリブ板部１１ｂ，１１ｃの上端部よりも突出している部分に、少なくとも２以上（本実施形態では、説明の便宜上２つとするが、２以上であれば良い。）の柱接合用ボルト孔１１ａ１，１１ａ２を設けている。
【００１５】
座金部１２は、後述するように３枚以上（ここでは、説明の便宜上３枚とする。）の座金板１２ａ，１２ｂ，１２ｃを重ね合わせることにより構成され、金物本体部１１の下端部から所定の高さとなる位置に、背板部１１ａとその左右両側のリブ板部１１ｂ，１１ｃとに溶接して設けられている。
【００１６】
図２（ａ）〜（ｄ）は、それぞれ、本実施形態の木造建築物用のホールダウン金物１の座金部１２を構成する座金板１２ａ，１２ｂ，１２ｃの平面図、正面図、座金板１２ａ，１２ｂ，１２ｃを３枚重ね合わせた座金部１２の右側面図、３枚重ね合わせた座金板１２ａ，１２ｂ，１２ｃを溶接した座金部１２の右側面図である。また、図３（ａ）〜（ｃ）は、それぞれ、本実施形態の木造建築物用のホールダウン金物１における金物本体部１１と座金部１２との間の溶接部分を示す平面図、正面図、右側面図である。
【００１７】
図２(ａ)，（ｂ）に示すように、座金部１２を構成する３枚の座金板１２ａ，１２ｂ，１２ｃには、それぞれ同じ位置にアンカーボルト孔１２ａ３〜１２ｃ３が形成されているため、それらが重なることによって図３(ａ)に示すように、横架材２２と連結するためのアンカーボルト３が挿入されるアンカーボルト孔１２３が構成される。
【００１８】
ここで、座金部１２を構成する３枚の座金板１２ａ，１２ｂ，１２ｃのアンカーボルト孔１２ａ３〜１２ｃ３は、図２(ａ)，（ｂ）に示すように横架材２２の長手方向に対し平行に延びた長孔である。これにより、横架材２２から突出して上方に延びるアンカーボルト４ａ（図４等参照。）が横架材２２の長手方向にずれていたり、傾いていても、長孔形状のアンカーボルト孔１２ａ３〜１２ｃ３を問題なく貫通させることができる。
【００１９】
また、座金部１２を複数枚の座金板により構成しない場合には、座金部１２の厚さを大きくした場合、アンカーボルト孔１２３を設ける作業が大変になるが、本実施形態では、座金部１２を３枚の座金板１２ａ，１２ｂ，１２ｃを積層して溶接接合して構成しているため、座金部１２より厚さが薄い各座金板１２ａ，１２ｂ，１２ｃそれぞれにアンカーボルト孔１２ａ３〜１２ｃ３を設ければ済み、アンカーボルト孔１２３を設ける作業が大幅に楽になる。
【００２０】
また、座金部１２は、図２および図３に示すように、３枚の座金板１２ａ，１２ｂ，１２ｃを重ね合わせることにより構成され、最上位の座金板１２ａおよび最下位の座金板１２ｃはその間に挟まれる中間の座金板１２ｂよりも奥行きを長くして、それら３枚の座金板１２ａ，１２ｂ，１２ｃを重ね合わせて構成されている。
【００２１】
そのため、本実施形態のホールダウン金物１では、座金部１２を構成する３枚の座金板１２ａ，１２ｂ，１２ｃの厚さを適宜変えることによって、座金部１２の厚さを任意に設定して容易に厚くすることが可能となり、強度の強い座金部１２を容易に作成することができる。
【００２２】
また、３枚の座金板１２ａ，１２ｂ，１２ｃそれぞれの後端部１２ａ１〜１２ｃ１は、図２（ｃ），（ｄ）や図３（ｃ）に示すように背板部１１ａに当接するように揃える。また、その３枚の座金板１２ａ，１２ｂ，１２ｃの先端部１２ａ２〜１２ｃ２は、図２（ｃ），（ｄ）や図３（ｃ）に示すように最上位の座金板１２ａの先端部１２ａ２および最下位の座金板１２ｃの先端部１２ｃ２が、その間に挟まれる中間の座金板１２ｂの先端部１２ｂ２よりも突出するように配置する。
【００２３】
そして、図２（ｄ）および図３（ｂ），（ｃ）等に示すように、中間の座金板１２ｂの先端部１２ｂ２と最上位の座金板１２ａの先端部１２ａ２側の下側面および最下位の座金板１２ｃの先端部１２ｃ２側の下側面とで囲まれた凹部全部が埋まるように溶接して溶接部Ｗ１を設ける。これにより、３枚の座金板１２ａ，１２ｂ，１２ｃは、中間座金板１２ｂの先端部１２ｂ２と、最上位の座金板１２ａの先端部１２ａ２側の下側面と、最下位の座金板１２ｃの先端部側の下側面との溶接によって接合されて座金部１２を構成できる。
【００２４】
そのため、本実施形態のホールダウン金物１では、３枚の座金板１２ａ，１２ｂ，１２ｃを重ね合わせその厚さを増大させ溶接して接合した座金部１２を、金物本体部１１の背板部１１ａとその左右両側のリブ板部１１ｂ，１１ｃに溶接するので、座金部１２自体の強度が向上すると共に、金物本体部１１と座金部１２との接合強度が増大し、ホールダウン金物１全体の強度を向上させることができる。
【００２５】
特に、本実施形態のホールダウン金物１の座金部１２は、３枚以上の座金板（ここでは、３枚の座金板１２ａ，１２ｂ，１２ｃ）を重ね合わせることにより構成しているが、最上位の座金板１２ａと最下位の座金板１２ｃは，図３（ａ）〜（ｃ）に示すように、金物本体部１１の背板部１１ａとその左右両側のリブ板部１１ｂ，１１ｃに上方または下方から溶接してそれぞれ溶接部Ｗ２，Ｗ３を設ける。一方、その間に挟まれた座金板１２ｂは、上述したように最上位の座金板１２ａと最下位の座金板１２ｃよりも先端部１２ｂ２を短くして、最上位の座金板１２ａの先端部１２ａ２と最下位の座金板１２ｃの先端部１２ｃに囲まれた凹部全部が埋まるように溶接して溶接部Ｗ１を設けるため、３枚以上の座金板（ここでは、３枚の座金板１２ａ，１２ｂ，１２ｃ）を確実に金物本体部１１の背板部１１ａとその左右両側のリブ板部１１ｂ，１１ｃに接合することが可能となり、この点でもホールダウン金物１全体の強度を向上させることができる。
【００２６】
次に、以上のように構成された本実施形態のホールダウン金物１の使用方法について説明する。
【００２７】
図４は、本実施形態のホールダウン金物１の使用状態を示す側面図である。
【００２８】
図４に示すように、本実施形態のホールダウン金物１は、主に、土台や梁等の横架材２に対し、垂直に建てて接合した柱３の接合箇所の補強に使用する。
【００２９】
ホールダウン金物１と横架材２との連結は、ホールダウン金物１の座金部１２のアンカーボルト孔１２３に横架材２や、その下の図示しない基礎側から延びるアンカーボルト４ａの先端部を通して、その上からナット４ｂを螺合して締め付けることにより行う。
【００３０】
ホールダウン金物１と柱３との連結は、図１（ｂ）に示すようにホールダウン金物１の金物本体部１１の背板部１１ａに形成された柱接合用ボルト孔１１ａ１〜１１ａ１０それぞれから柱接合用ボルト孔１１ａ１〜１１ａ１０の軸部を通して柱３に形成された柱接合用ボルト５ａを貫通させて、柱３の反対側から突出した柱接合用ボルト５ａの軸部先端部にナット５ｂを螺合して締め付けることにより行う。
【００３１】
次に、本実施形態のホールダウン金物１を使用した場合の特徴ある２つの効果について説明する。
【００３２】
＜ホールダウン金物１の下端部での変形と回転防止効果＞
図５（ａ）〜（ｃ）は、それぞれ、左右両側のリブ板部を背板部の下端部まで延ばしていない比較例１のホールダウン金物７を使用して横架材２と柱３を補強した状態を示す側面図と、その柱３に引き抜き方向に外力が作用した場合における動きや変形を示す側面図である。
【００３３】
図６（ａ）〜（ｃ）は、それぞれ、本実施形態の木造建築物用のホールダウン金物１を使用して横架材２と柱３を補強した状態を示す側面図と、その柱３に引き抜き方向に外力が作用した場合における動きや変形を示す側面図である。
【００３４】
ホールダウン金物を使用して横架材２に対し柱３の接合箇所を補強した後、例えば、図５(ａ)，図６（ａ）に示すように柱３に対し横架材２から抜ける矢印Ａ方向の上向きに外力が加わると、図５（ｂ），図６(ｂ)に示すようにホールダウン金物１には、その反力で矢印Ｂ方向の下向きの反力が加わることになる。
【００３５】
すると、ホールダウン金物の下端部では、図５（ｂ），図６(ｂ)に示すように、矢印Ｃ方向の図上右方向である柱３の方に移動しようとして、ホールダウン金物１の下端部で大きな力が加わる。
【００３６】
ここで、仮に、背板部の下端部までの左右両側のリブ板部の下端部が伸びていない図５に示す比較例１のホールダウン金物７の場合には、図５(ｃ)に示すように、背板部の下端部が折れ曲がって柱３に食い込み、ホールダウン金物７自体が回転しようとして、柱３に損傷を与えるおそれがある。
【００３７】
これに対し、本実施形態のホールダウン金物１では、図１や図３、図４を参照して上述したように背板部１１ａの下端部と、その左右両側のリブ板部１１ｂ，１１ｃの下端部とがほぼ同一平面上に位置するように揃えているため、図６（ｃ）に示すように、それらの下端部に応力が集中しても、背板部１１ａがその下端部で折れ曲がらずに耐えることができる。その結果、本実施形態のホールダウン金物１では、比較例１のホールダウン金物７とは異なり、背板部１１ａの下端部が折れ曲がって柱３に食い込むことを防止でき、ホールダウン金物１自体が回転して柱３に損傷を与えることを防止できる。
【００３８】
＜ホールダウン金物１の上端部での柱の割裂を抑制＞
図７（ａ），（ｂ）は、それぞれ、背面板におけるボルト孔が並列に並んだ比較例２のホールダウン金物８を使用して横架材２と柱３を補強した状態を示す正面図と、その柱３に横方向の外力が作用して柱割れを起こした状態を示す側面図である。
【００３９】
図８（ａ），（ｂ）は、それぞれ、本実施形態の木造建築物用のホールダウン金物１を使用して横架材２と柱３を補強した状態を示す正面図と、その柱３に横方向の外力が作用しても柱割れを起こさない状態を示す側面図である。
【００４０】
図７(ａ)に示すように、背板部に設けられた柱接合用ボルト孔が水平方向に並んだ比較例２のホールダウン金物８では、最上位のボルト孔も水平方向に並んでいるため、図７(ｂ)に示すように柱３に対し矢印Ｅ方向に外力が作用した場合、その最上位の水平に並んだボルト孔のところに応力が集中して、その部分から柱３が割れるおそれがある。
【００４１】
これに対し、本実施形態のホールダウン金物１では、図１(ｂ)や図８(ａ)に示すように、背板部１１ａに設ける複数の柱接合用ボルト孔１１ａ１〜１１ａ１０は、柱３の長手方向に沿って複数列で、かつ、各列の柱接合用ボルト孔１１ａ１〜１１ａ１０は、高さが互い違いにずれるように設けることにより、少なくとも各列の最上位の柱接合用ボルト孔１１ａ１，１１ａ２は、水平方向に並ばないようにしている。ただし、本発明では、少なくとも各列の最上位の柱接合用ボルト孔１１ａ１，１１ａ２が水平方向に並ばないように設けければ十分であり、それより下の柱接合用ボルト孔１１ａ３〜１１ａ１０が本実施形態のように互い違いにずれていようと、本実施形態とは異なり柱接合用ボルト孔１１ａ３〜１１ａ１０が２つずつ水平方向に並んで設けられていてもどちらでも良い。
【００４２】
そのため、図８(ｂ)に示すように柱３に対し矢印Ｅ方向に外力が作用した場合でも、比較例２のホールダウン金物８と異なり、その最上位の水平に並んだ柱接合用ボルト孔１１ａ１，１１ａ２のところに応力が集中することがなくなり、最上位の柱接合用ボルト孔１１ａ１の部分から柱３が割裂することを防止できる。
【００４３】
特に、本実施形態のホールダウン金物１では、背板部１１ａの上端部は、図１(ｂ)，(ｃ)や図４等に示すようにその左右両側のリブ板部１１ｂ，１１ｃの上端部それぞれよりも長くて突出させており、かつ、その左右両側のリブ板部１１ｂ，１１ｃは、下端部よりも上端部の方が横架材２の長手方向の長さとなる奥行きが小さくなるように傾斜端部１１ｂ１，１１ｃ１を設け、背板部１１ａにおいて左右両側のリブ板部１１ｂ，１１ｃの上端部よりも突出している部分に、２つの柱接合用ボルト孔１１ａ１，１１ａ２を設けている。
【００４４】
つまり、本実施形態のホールダウン金物１では、左右両側のリブ板部１１ｂ，１１ｃの上端部よりも長く突出している背板部１１ａの上端部は、それより下方の左右両側のリブ板部１１ｂ，１１ｃが設けられている箇所の背板部１１ａよりも強度が弱くなり、リブ板部１１ｂ，１１ｃの傾斜端部１１ｂ１，１１ｃ１が下方に向かうほど奥行きが大きくなることからも、背板部１１ａはその上端部ほど強度が弱くなるように構成されている。
【００４５】
そのため、本実施形態のホールダウン金物１によれば、図８(ｂ)に示すように柱３に対し矢印Ｅ方向に外力が作用した場合でも、その最上位の水平に並んだ柱接合用ボルト孔１１ａ１，１１ａ２のところに応力が集中することがなくなると共に、左右両側のリブ板部１１ｂ，１１ｃの上端部よりも長く突出している背板部１１ａの上端部は曲がり易くなって、応力が分散されるので、この点でも最上位の柱接合用ボルト孔１１ａ１の部分から柱３が割裂することを防止できる。
【００４６】
従って、本実施形態の木造建築物用のホールダウン金物１およびそれを用いた木造建築物では、背板部１１ａには柱３に対し複数のボルトを介し接合するための複数の柱接合用ボルト孔１１ａ１〜１１ａ１０が設けられた金物本体部１１と、その金物本体部の下端部から所定の高さとなる位置に背板部１１ａとその左右両側のリブ板部１１ｂ，１１ｃとに溶接して設けられ、横架材２と連結するためのアンカーボルトが挿入されるアンカーボルト孔を有する座金部１２とを有するため、金物本体部１１と座金部１２との接合強度が増大し、ホールダウン金物１全体の強度を向上させることができると共に、一枚の金属板をコ字状に折り曲げて背板部１１ａとその左右両側のリブ板部１１ｂ，１１ｃとをそれらの下端部がほぼ同一平面上に位置するように揃えたため、柱３が横架材２から抜けようとしても背板部１１ａの下端部を変形し難くすることができる。
【００４７】
特に、本実施形態の木造建築物用のホールダウン金物１では、座金部１２は、３枚の座金板１２ａ，１２ｂ，１２ｃを重ね合わせることにより構成され、最上位の座金板１２ａおよび最下位の座金板１２ｃはその間に挟まれる中間の座金板１２ｂよりも奥行きを長くすると共に、その複数枚の座金板１２ａ，１２ｂ，１２ｃの後端部１２ａ１〜１２ｃ１は背板部１１ａに当接するように揃え、かつ、その複数枚の座金板１２ａ，１２ｂ，１２ｃの先端部１２ａ２〜１２ｃ２は最上位の座金板１２ａおよび最下位の座金板１２ｃの先端部１２ａ２，１２ｃ２がその間に挟まれる中間の座金板１２ｂよりも突出するように配置し、中間の座金板１２ｂの先端部１２ｂ２と最上位の座金板１２ａの先端部１２ａ２側の下側面および最下位の座金板１２ｃの先端部１２ｃ２側の下側面とで囲まれた凹部を溶接する一方、最上位の座金板１２ａでは背板部１１ａとその左右両側のリブ板部１１ｂ、１１ｃと接する境界部分をその上方から溶接する一方、最下位の座金板１２ｃでは背板部１１ａとその左右両側のリブ板部１１ｂ、１１ｃと接する境界部分をその下方から溶接するようにしたため、座金部１２の厚さを任意に設定できると共に、座金部１２の厚さを容易に厚くすることが可能となり、強度の強い座金部１２を容易に作成することができる。
【００４８】
また、座金部１２を構成する３枚の座金板１２ａ，１２ｂ，１２ｃのアンカーボルト孔１２ａ３〜１２ｃ３は、図２に示すように横架材２２の長手方向に対し平行に延びた長孔にしたため、横架材２からアンカーボルト４ａが多少斜めに伸びていたとしてもそのズレを吸収することができる。
【００４９】
また、座金部１２を構成する３枚の座金板１２ａ，１２ｂ，１２ｃそれぞれの先端部１２ａ２〜１２ｃ２がリブ板部１１ｂ，１１ｃの先端部よりも突出するようにリブ板部１１ｂ，１１ｃの幅を座金部１２の奥行きより小さくし、しかも、下端部よりも上端部の方が横架材２の長手方向の長さとなる奥行きが小さくなるように傾斜端部１１ｂ１，１１ｃ１を設けているため、本実施形態の木造建築物用のホールダウン金物１のリブ板部１１ｂ，１１ｃの面積を小さくして材料費や重量を削減できる。
【００５０】
また、本実施形態の木造建築物用のホールダウン金物１では、金物本体部１１の背板部１１ａに設ける複数の柱接合用ボルト孔１１ａ１〜１１ａ１０は、柱３の長手方向に沿って複数列で、かつ、各列の柱接合用ボルト孔１１ａ１〜１１ａ１０は、高さが互い違いにずれるように設け、少なくとも最上位の柱接合用ボルト孔１１ａ１，１１ａ２は、水平方向に並ばないように設けたため、背板部１１ａの最上位のボルト孔の部分における柱３の割裂を極力防止できる。
【００５１】
また、本実施形態の木造建築物用のホールダウン金物１では、金物本体部１１の背板部１１ａの上端部は、その左右両側のリブ板部１１ｂ，１１ｃの上端部それぞれよりも長くて突出しており、かつ、その左右両側のリブ板部１１ｂ，１１ｃは、下端部よりも上端部の方が横架材２の長手方向の長さとなる奥行きが小さくなるように傾斜端部１１ｂ１，１１ｃ１を設けているため、この点でもホールダウン金物１のリブ板部１１ｂ，１１ｃの面積を小さくして材料費や重量を削減できると共に、ホールダウン金物１の上部ほど強度を弱くして曲げ易く製造することが可能となり、この点でもホールダウン金物１の上端部での柱３の切断破壊をより防止できる。
【００５２】
また、本実施形態の木造建築物用のホールダウン金物１では、金物本体部１１の背板部１１ａの上端部は、その左右両側のリブ板部１１ｂ，１１ｃの上端部それぞれよりも長くて突出しており、かつ、金物本体部１１の背板部１１ａにおいてその左右両側のリブ板部１１ｂ，１１ｃの上端部よりも突出している部分に少なくとも２以上の柱接合用ボルト孔１１ａ１，１１ａ２を設けたため、この点でもホールダウン金物１の上部ほど強度を弱くして曲げ易く製造することが可能となり、ホールダウン金物１の上端部での柱３の切断破壊をより防止できる。
【００５３】
なお、上記の木造建築物用のホールダウン金物１では、座金部１２は、３枚の座金板１２ａ，１２ｂ，１２ｃを重ね合わせそれらの先端部１２ａ２〜１２ｃ２を溶接することによって接合して説明したが、本発明では、これに限らず、２枚の座金板から構成しても良いし、４枚以上の座金板から構成しても勿論良い。
【００５４】
ここで、座金部１２を２枚の座金板により構成する場合には、例えば、座金板１２ａ，１２ｂの奥行きの関係のように長さを変えておけば、上側の座金板１２ａの先端部の下側面と下側の座金板１２ｂの先端部とを簡単に溶接して接合して座金部１２を構成できる。この場合、上側の座金板１２ａと背板部１１ａとその左右両側のリブ板部１１ｂ、１１ｃと接する境界部分をその上方から溶接する一方、下側の座金板１２ｂでは背板部１１ａとその左右両側のリブ板部１１ｂ、１１ｃと接する境界部分をその下方から溶接する。なお、座金部１２を２枚の座金板により構成する場合に、その２枚の座金板の奥行きを同じにして、先端部に開先を設ける等して先端部同士を溶接しても勿論良い。
【００５５】
また、座金部１２を４枚以上の座金板により構成する場合には、中間の座金板の先端部と最上位の座金板の先端部側の下側面および最下位の座金板の先端部側の下側面とで囲まれた凹部全てが埋まるように溶接しても良いし、凹部全てが埋まらない程度に先端部同士を溶接するだけでも勿論良い。要は、複数枚の座金板の先端部側で溶接できれば良い。
【符号の説明】
【００５６】
１  ホールダウン金物
１１  金物本体部
１１ａ  背板部
１１ａ１〜１１ａ１０  柱接合用ボルト孔
１１ｂ，１１ｃ  リブ板部
１２  座金部
１２３  アンカーボルト孔
１２ａ，１２ｂ，１２ｃ  座金板
１２ａ１〜１２ｃ１  後端部
１２ａ２〜１２ｃ２  先端部
１２ａ３〜１２ｃ３  アンカーボルト孔
２  横架材
３  柱
４ａ  アンカーボルト
４ｂ  ナット
５ａ  柱接合用ボルト
５ｂ  ナット
３１  スリット
４  ボルト
４ａ  軸部
４ｂ  頭部
５  ナット
６  ドリフトピン
７  比較例１
８  比較例２
【図１】
2015045137.tif 000003
【図２】
2015045137.tif 000004
【図３】
2015045137.tif 000005
【図４】
2015045137.tif 000006
【図５】
2015045137.tif 000007
【図６】
2015045137.tif 000008
【図７】
2015045137.tif 000009
【図８】
2015045137.tif 000010